(57)【要約】【課題】スイングドアの開閉時に収納庫の内側にドアの軌跡が及ばず、収納庫の外側に描く軌跡も小さい、また、収納庫の収納スペース及び収納庫の周辺のスペースを効率的に使用することのできるスイングドアに関する。【解決手段】開口１１部を開閉するための１枚のパネル体１０からなるスイングドアＩにおいて、前記開口部１１の上方の幅方向に設けてあるガイドレール１２にガイドされるガイドローラー１３を幅方向の上方端部に備えたパネル体１０と、前記パネル体１０の裏面側に設けられた凹部１４に一端が回転自在に固定され他端が前記開口部１１の一方側端部に回転自在に固定された支持部材１５と、前記パネル体１０の表面側に設けられた取っ手１８と、前記パネル体１０の幅方向の前記ガイドローラー１３を設けた側の側縁部と前記開口部１１の側部とが相互に着脱自在となる固定具１７を備えたスイングドア。【選択図】図１
2007204981.tif 000002
【特許請求の範囲】
【請求項１】
開口部を開閉するための１枚のパネル体からなるスイングドアにおいて、前記開口部の上方の幅方向に設けてあるガイドレールにガイドされるガイドローラーを幅方向の上方端部に備えたパネル体と、前記パネル体の裏面側に設けられた凹部に一端が回転自在に固定され他端が前記開口部の一方側端部に回転自在に固定された支持部材と、前記パネル体の表面側に設けられた取っ手と、前記パネル体の幅方向の前記ガイドローラーを設けた側の側縁部と前記開口部の側部とが相互に着脱自在となる固定具と、を具備することを特徴とするスイングドア。
【請求項２】
前記支持部材が複数個存在し、且つ、その内の少なくとも２つが相互に連結されていることを特徴とする請求項１に記載のスイングドア。
【請求項３】
前記固定具が永久磁石であることを特徴とする請求項１又は２に記載のスイングドア。
【発明の詳細な説明】
【技術分野】
【０００１】
この発明は、開口部を開閉するための１枚のパネル体が、開口部の幅方向に沿って、スライドすることにより開口部を開閉するスイングドアに関する。
【背景技術】
【０００２】
スイングドアの先行技術として、図１５に示すような１枚のドアパネル１と、ドアパネル１の幅方向端部の上下端近傍の位置と開口部２の幅方向一端部の上下位置との間に取り付ける２個のアーム蝶番３と、ドアパネル１上下端で当該ドアパネル１を開口部２の幅方向にスライド可能に支持するレール４及びローラー５とを備えるものが知られている（例えば、特許文献１参照）。
【０００３】
【特許文献１】特開平１１−７１９５７号公報
【発明の開示】
【発明が解決しようとする課題】
【０００４】
しかし、前述のスイングドアを室内収納庫用として用いた場合、開口部２を開閉した時にドアパネル１の描く軌跡が収納庫内側に及び、収納庫内の収納物に接触する可能性があるため、収納スペースを有効に使用することができない。また、ドアパネル１の外部にアーム蝶番３を取付けているため、開口部２を開放する際に、アーム蝶番３の厚みの分、開口部２が狭くなる。さらに、ドアパネル１の下端側にレール４が設けられているため床面と収納庫の床面の間に段差が生じ、重量物等を収納庫に収納する時に滑り込ませるように収納することができず、作業性が低下するおそれがある。
【０００５】
従来から使用されている、図１６に示すような片開きドア６においては、開口部７を広く取ることができ且つ開口部７にレール等の設備を設ける必要がないため前述したスイングドアのように床面と収納庫の床面の間に段差を生じることがない。しかし、開口部７を開閉する時に、片開きドア６の描く軌跡が大きくなる。そのために、作業者が収納物を収納する時に、収納庫の前に置いた収納物若しくは作業者が障害となり、片開きドア６の開閉の妨げとなる可能性があり作業性の低下のおそれがある。
さらに、図１７に示すような折れ戸８においては、開口部９を開閉する時に、折れ戸８の描く軌跡が小さくなるが、開放時に開口部９のドア部材８aの占める割合がドア部材８aの厚みの２倍となるため開口部９を広く取ることができない。また折れ戸８を閉鎖する時に２枚のドア部材８aの間に指を詰める危険性がある。
【０００６】
この発明は上記のような種々の課題を解決することを目的としてなされたものであって、開口部を開閉する時にドアが収納庫内側に及ぶことなく、収納庫の収納スペースを有効に使用することができ、開口部を開放する時にドアの描く軌跡が小さく、床面と収納庫の床面との間に段差を生じない。そのために、室内廊下の突当りの側面壁に位置するような作業スペースの小さい箇所の設置に適し、それらの場所においても安全且つ効率的に作業することができるスイングドアを提供することを目的とする。
【課題を解決するための手段】
【０００７】
上記目的を達成するために、請求項１記載のスイングドアは、開口部を開閉するための１枚のパネル体からなるスイングドアにおいて、前記開口部の上方の幅方向に設けてあるガイドレールにガイドされるガイドローラーを幅方向の上方端部に備えたパネル体と、前記パネル体の裏面側に設けられた凹部に一端が回転自在に固定され他端が前記開口部の一方側端部に回転自在に固定された支持部材と、前記パネル体の表面側に設けられた取っ手と、前記パネル体の幅方向の前記ガイドローラーを設けた側の側縁部と前記開口部の側部とが相互に着脱自在となる固定具と、を具備することを特徴としている。
【０００８】
請求項２記載のスイングドアは、前記支持部材が複数個存在し、且つ、その内の少なくとも２つが相互に連結されていることを特徴としている。
【０００９】
請求項３記載のスイングドアは、前記固定具が永久磁石であることを特徴としている。
【発明の効果】
【００１０】
請求項１記載のスイングドアによれば、前記開口部の上方の幅方向に設けてあるガイドレールにガイドされるガイドローラーを幅方向の上方端部に備えてあることにより、開口部を開閉する時に当該パネル体の描く軌跡が収納庫内に及ぶことがなく、収納スペースを有効に利用することができる。また、収納庫の外側にパネル体の描く軌跡も小さくすることができるので、作業スペースの少ない場所においても効率的に作業することができる。また、支持部材が、前記パネル体の裏面側に設けられた凹部に一端が回転自在に固定され他端が前記開口部の一方側端部に回転自在に固定されている。そのことにより、開口部を開閉時に、支持部材がパネル体に設けられた凹部に納まるため、開口部を開放した時には開口部を広く取ることができ、閉鎖した時には収納庫内に支持部材が及ぶことがなく収納スペースを効率的に使用することができる。
【００１１】
請求項２記載のスイングドアによれば、前記支持部材が複数個存在し、且つ、その内の少なくとも２つが相互に連結されていることで、開口部を開閉する時にパネル体が、ぶれることなく安定し、下部にガイドレールを設ける必要がないため、床面と収納庫の床面との間に段差が生じない。そのため、収納物が重量物である時若しくはキャスター付きである時には搬入時に、収納庫外部から滑り込ませることができ、作業性を向上することができる。
【００１２】
請求項３記載のスイングドアによれば、前記固定具が永久磁石であることで、前記固定具が相互に脱着を繰り返しても、固定具としてパネル体を保持する力が劣化することなく継続的に使用することができる。
【発明を実施するための最良の形態】
【００１３】
この発明の室内収納庫用スイングドアの最良の実施形態について以下図１に基づいて説明する。図１に示すように、この実施例のスイングドアＩは、１枚のパネル体１０、開口部１１の上方の幅方向に設けてあるガイドレール１２にガイドされるガイドローラー１３を幅方向の上方端部に備え、前記パネル体１０の裏面側に設けられた凹部１４に一端が回転自在に固定され他端が前記開口部１１の一方側端部に回転自在に固定された支持部材１５とそれらを連結するための連結部材１６、さらに前記パネル体１０の幅方向の前記ガイドローラー１３を設けた側の側縁部と前記開口部１１の側部とが相互に着脱自在となる固定具１７と、パネル体１０の表面側に設けられた取っ手１８と、を具備している。
【００１４】
前記パネル体１０は所定の厚みを有するものであって、その形状は略長方形であり、その大きさは開口部１１の大きさとほぼ同等であり、当該開口部１１を開放又は閉鎖するものである。パネル体１０の表面には、幅方向の端部の所定高さに開口部１１を開放又は閉鎖するための取っ手１８a、１８bが内側に１つずつ合計２つ取付けられている。パネル体１０の材質は目的の厚み、強度に応じて、金属製、木製、合成樹脂の中から選択でき、それらを２つ以上組合わせたもの例えば金属表面に合成樹脂をコーティングしたもの、木表面に合成樹脂をコーティングしたものであってよく、収納物を確認するための透明性を有する合成樹脂又はガラスの窓を設けてもよい。
【００１５】
前記ガイドレール１２は、開口部１１の上方の幅方向に設けられており、図３に示すように中央部にはパネル体１０の幅方向の上方端部に設けられたガイドローラー１３を開口部１１の幅方向にガイドするための溝１２aが設けられている。
【００１６】
前記ガイドローラー１３は、パネル体１０の幅方向の上端部に備えられており、前記ガイドレール１２にガイドされ、開口部１１を開閉する時に、当該パネル体１０を開口部１１の幅方向へ誘導する。その時には、図３に示すローラー部１３aが、回転軸１３bを中心に回転しながら、開口部１１の上方の幅方向に設けられたガイドレール１２に沿って、パネル体１０を開口部１１の幅方向に誘導しスムーズに開閉を行うことができる。このことにより、開口部１１を開閉する時に、当該パネル体１０の描く軌跡が収納庫内に及ぶことがなく、収納庫の収納スペースを有効に使用することができる。また、収納庫の外側にパネル体１０が描く軌跡も小さくなることから、室内廊下の突当りの側面壁に位置するような作業スペースの小さい箇所の設置に適している。また、ガイドレール１２及びガイドローラー１３は開口部１１の上方の幅方向及びパネル体１０の幅方向の上端部にのみ設けるほうが、床面と収納庫の床面との間に段差が生じることがなく作業性がよくなり、好ましい。
【００１７】
前記凹部１４はパネル体１０の裏面側に設けられており、当該凹部１４の深さは、パネル体１０開閉時の支持部材１５の厚みよりも深く設計してあり、開口部１１の開閉時に、支持部材１５が凹部１４に納まるため、当該パネル体１０を開放した時には開口部１１を広く取ることができ、閉鎖した時には収納庫内に支持部材１５が突出することがなく収納スペースを効率的に使用することができる。また、前記凹部１４を設けた部分のパネル体１０の厚みは、パネル体として十分な強度を確保できるように設計してある。前記凹部１４の形状は、開口部１１の開閉時に、支持部材１５と連結部材１６がパネル体１０に接触することのないように略長方形であるほうが加工が簡便で好ましいが、例えば、円形でもよい。また、支持部材１５及び連結部材１６の数、形状によって凹部１４の形状を適宜変更できるので、図示の形状に限定されるものではない。
【００１８】
前記支持部材１５は、図４に示すような、２つの支持部１５a、１５b及びこれら２つの支持部材１５a、１５bに支持されている支持アーム１５cからなり、パネル体１０の裏面側に設けられた凹部１４の幅方向の略中央部に一方の支持部１５aが回転自在に固定され、他方の支持部１５bが前記開口部１１の一方側端部に回転自在に固定されている。また、当該支持部１５a、１５bとして例えば、金属製の蝶番等を使用することができ、図１に示すように例えば、これら支持部１５a、１５bを両側に具備した４つの支持部材１５が略平行に所定間隔で取付けられている。他方の支持部１５bの取付け位置は、開口部１１の一方側内端部であるほうが、開口部１１を閉鎖した時に、収納庫内部の収納スペースに支持部材１５の動作範囲が及ばないため好ましい。また、支持部材１５を取付ける、高さ方向の間隔及び数はパネル体１０の大きさ、重さ等により適宜選択可能である。
【００１９】
前記支持部材１５の数は１つでもよいが、その場合にはできるだけ縦方向に長い形状のものを使用する方がパネル体１０の開閉が安定するので好ましい。縦方向に長さが短い時には、複数の支持部材１５を用いるが、この時は図１、図７に示すように、その内の少なくとも２つの支持部材１５を相互に連結し、上下２つの支持部材１５を金属性の棒材１６aで交差して４箇所の固定部１６bで固定する。そして、棒材１６aが交差した交差部１６cは溶接等で互いに連結されてあることが好ましい。これにより、開口部１１を開閉する時に当該パネル体１０が安定し、ガイドレール１２及びガイドローラー１３を開口部１１の下方の幅方向及びパネル体１０の幅方向の下端部に設ける必要がなくなる。また、床面と収納庫の床面との間に段差が生じることがないので、収納物が重量物である時若しくはキャスター付きである時には搬入時に収納庫外部から滑り込ませることができ、作業性を向上することができる。さらにまた、連結部材１６の形状は経済的な観点及び支持部材１５にかかる負荷を考慮すると、図２に示すように棒材１６aが互いに交差するような形状にすることによって軽量でパネル体１０を安定することができ好ましいが、これに代えて、例えば、図８及び図９に示す連結板１６１のような板状のものであってもよい。
【００２０】
開口部１１を開放時に当該パネル体１０を固定するための固定具１７は、図２に示すように前記パネル体１０の幅方向のガイドローラー１２を設けた側の側縁部と前記開口部１１の側部に脱着自在にとりつけられている。固定具１７としては例えば、図１０に示すような、マグネット式固定具１７１が使用できる。マグネット１７aはパネル体１０の幅方向のガイドローラー１２を設けた側の側縁部に取付けられており、開口部１１を開放した時に、当該開口部１１が広く取れるようにパネル体１０に前記マグネット１７aの大部分を埋め込んであることが好ましいが、例えば、開閉の妨げにならないような薄手のマグネットを外部に取付けてもよい。また、マグネット１７aと対応するように開口部１１の側部にＬ字型のマグネット受け１７bが取付けられてあり、パネル体１０を、開口部１１を開口する側に移動した時にはマグネット１７aとＬ字型のマグネット受け１７bが密着する。これにより、パネル体１０が固定され、開口部１１を開放した当該パネル体１０が意に反して閉まることがなく、作業中は常に広い開口部１１を保ったまま作業を行うことができる。また、マグネット１７a及びマグネット受け１７bを複数対、例えば各３対用いることにより、より強固にパネル体１０を開口部１１の側部に固定することができ、風の強い屋外等に設置された収納庫においても開放したパネル体１０が意に反して閉まることがなく、作業中は常に広い開口部１１を保ったまま作業を行うことができる。また、開口部１１を閉鎖時には、前記パネル体１０を固定するため、図１１に示すように、前記パネル体１０の幅方向のガイドローラー１２を設けた側と反対側の側縁部にマグネット１７cがとりつけられている。開口部１１を閉鎖時には、前記マグネット１７cが前記Ｌ字型のマグネット受け１７bに密着し、意に反してパネル体１０が開くことない。固定具１７には、永久磁石を用いたほうが、相互に脱着を繰り返しても、固定具としてパネル体を保持する力が劣化することなく継続的に使用することができ好ましい。また、その他に、固定具１７として、開口部１１を開放時のパネル体１０の固定には図１２に示すような、雄部１７dに設けられた略楔形の突出部１７eが、雌部１７fの保持部１７gに保持されるような保持部材１７２を埋め込み、使用してもよく、開口部１１を閉鎖時のパネル体１０の固定には、図１３に示すような前記保持部材１７２と同様の構造を有する保持部材１７３を埋め込み、使用しても良い。保持部材１７２及び保持部材１７３を用いる時には、開閉時にそれぞれの略楔形の突出部がパネル体１０に接触しないようあらかじめ溝を設けておくものとする。
【００２１】
上述のように構成されたスイングドアＩの開閉動作を説明する。
【００２２】
まず、開口部１１を開放する時には、パネル体１０が固定具１７に係止されており、開口部１１がパネル体１０によって閉鎖されている状態において、パネル体１０の表面側のガイドローラー１３を設けた側に取付けられた取っ手１８aを引く。そのことによりガイドローラー１３に力が作用するが、ガイドレール１２が開口部１１の上方の幅方向に設けられているため、ガイドローラー１３はガイドレール１２にガイドされ、これに伴いパネル体１０の上方端部がガイドレール１２に沿って誘導される。そして、当該パネル体１０はスイングしながら図１４のような軌跡を収納庫の外側に描くが、収納庫内部にその軌跡が及ぶことなく開放状態となる。すなわち、収納庫内部にはパネル体１０が入り込むことなく、収納庫の外側で凹んだ円弧状の軌跡を描きながら開口部１１の側端部で開口部１１に対して直交する位置で止まる。これによって、開口部１１は全開される。また、開放時において、開口部１１が半分程度開放した状態で、補助的にもう一方の取っ手１８bを開口部１１の幅方向であってパネル体１０の方向へ押すと、開口部１１の開放が容易に行うことができる。そして、この開口部１１が全面開口された時には、固定具１７によってパネル体１０は開口部１１の側縁部に係止されるので、開口状態が維持される。この固定具１７による係止は磁石や凹凸部の嵌め込みなどのように、パネル体１０の動作に追随して行われるので、特別な操作が不用で手数を要することなく、行われる。
【００２３】
開口部１１を閉鎖する方向へパネル体１０を移動する時には、当該パネル体１０が固定具１７に係止されており、開口部１１が開放した状態において、パネル体１０に取付けられたガイドローラー１３を設けた側と反対側の取っ手１８bを開口部１１の幅方向へ引く。これに伴いガイドローラー１３はガイドレール１２にガイドされ、当該パネル体１０がガイドレール１２に沿って開口部１１を閉鎖する方向へ誘導される。そして、パネル体１０はスイングしながら前述したように図１４のような軌跡を収納庫の外側に描き、収納庫内部にその軌跡が及ぶことなく開口部１１を閉鎖状態とする。そして、開口部１１を閉鎖した時にはパネル体１０が固定具１７により係止される。また、開口部１１が半分程度閉鎖した状態で補助的にもう一方の取っ手１８aを押すと、開口部１１の閉鎖を容易に行うことができる。
【産業上の利用可能性】
【００２４】
この発明のスイングドアは、前述した収納庫の開口部のみならず、種々の開口部の開閉に応用することができる。
【図面の簡単な説明】
【００２５】
【図１】本願実施例のスイングドアの全体斜視図
【図２】本願実施例のスイングドアの拡大斜視図
【図３】本願実施例のスイングドアのＡ-Ａ断面図
【図４】本願実施例の支持部材の斜視図
【図５】本願実施例のスイングドアのＢ-Ｂ断面図
【図６】図５のスイングドアを閉鎖する途中の図
【図７】本願実施例のスイングドアのＣ-Ｃ断面図
【図８】連結板を用いた本願実施例１の図
【図９】連結板を用いた本願実施例２の図
【図１０】固定具の本願実施例１を用いた開口部開放時の図
【図１１】固定具の本願実施例１を用いた開口部閉鎖時の図
【図１２】固定具の本願実施例２を用いた開口部開放時の図
【図１３】固定具の本願実施例２を用いた開口部閉鎖時の図
【図１４】本願実施例のスイングドア開閉時の動作説明図
【図１５】従来のスイングドアの全体斜視図
【図１６】従来の開き戸の開閉図
【図１７】従来の折り戸の開閉図
【符号の説明】
【００２６】
１０      パネル体
１１      開口部
１２      ガイドレール
１３      ガイドローラー
１４      凹部
１５      支持部材
１６      連結部材
１７      固定具
【図１】
2007204981.tif 000003
【図２】
2007204981.tif 000004
【図３】
2007204981.tif 000005
【図４】
2007204981.tif 000006
【図５】
2007204981.tif 000007
【図６】
2007204981.tif 000008
【図７】
2007204981.tif 000009
【図８】
2007204981.tif 000010
【図９】
2007204981.tif 000011
【図１０】
2007204981.tif 000012
【図１１】
2007204981.tif 000013
【図１２】
2007204981.tif 000014
【図１３】
2007204981.tif 000015
【図１４】
2007204981.tif 000016
【図１５】
2007204981.tif 000017
【図１６】
2007204981.tif 000018
【図１７】
2007204981.tif 000019